(57)【要約】      （修正有）【課題】煩わしい操作をしなくてもユーザ所望の再生対象データを記憶媒体に蓄積させて、記憶媒体の記憶容量を有効に活用できる記憶再生装置、記憶再生装置の制御方法および制御プログラムを提供すること。【解決手段】記憶再生装置１に、外部から供給される複数の再生対象データを所定の順序で再生する再生部５と、再生対象データを記憶媒体に記憶させる記憶部６と、再生部５により再生対象データが再生されている際に再生中断指示が入力された場合、記憶媒体から再生中断指示が入力された際に再生されていた再生対象データに対応する記録データを削除するように記憶部６を制御する制御部２と、を備えさせる。【選択図】図１
2007179646.tif 000002
【特許請求の範囲】
【請求項１】
外部から供給される複数の再生対象データを所定の順序で再生する再生部と、
前記再生対象データの前記再生部における再生と並行して、当該再生対象データを記録データとして順次記憶媒体に記憶させる記憶部と、
再生部により再生対象データが再生されている際に再生中断指示が入力された場合、前記記憶媒体から再生中断指示が入力された際に再生されていた再生対象データに対応する記録データを削除するように前記記憶部を制御する制御部と、
を備えたことを特徴とする記憶再生装置。
【請求項２】
予め記憶媒体に記憶された複数の再生対象データを所定の順序で再生する記憶再生部と、
前記記憶再生部により再生対象データが再生されている際に再生中断指示が入力された場合、前記記憶媒体から前記再生中断指示が入力された際に再生されていた再生対象データを削除するように前記記憶再生部を制御する制御部と、
を備えたことを特徴とする記憶再生装置。
【請求項３】
請求項２記載の記憶再生装置において、
前記制御部は、前記再生中断指示が入力された場合に前記記憶再生部による再生を中断するとともに、同一の再生対象データについて前記再生中断指示が所定回数入力された場合に当該再生対象データを前記記憶媒体から削除すること、
を特徴とする記憶再生装置。
【請求項４】
請求項１〜３のいずれか一項に記載の記憶再生装置において、
前記再生中断指示は、再生対象データの再生を中断させて次の再生対象データを再生させるための再生スキップ指示であること、
を特徴とする記憶再生装置。
【請求項５】
記憶再生装置の制御方法において、
外部から供給される複数の再生対象データを所定の順序で再生する過程と、
前記再生対象データの再生と並行して、当該再生対象データを記録データとして順次記憶媒体に記憶させる過程と、
前記再生対象データを再生している際に再生中断指示が入力された場合、前記再生中断指示が入力された際に再生されていた再生対象データに対応する記録データを前記記憶媒体から削除する過程と、
を備えたことを特徴とする記憶再生装置の制御方法。
【請求項６】
記憶再生装置の制御方法において、
予め記憶媒体に記憶された複数の再生対象データを所定の順序で再生する過程と、
前記再生対象データを再生している際に再生中断指示が入力された場合、前記再生中断指示が入力された際に再生していた再生対象データを前記記憶媒体から削除する過程と、
を備えたことを特徴とする記憶再生装置の制御方法。
【請求項７】
記憶再生装置をコンピュータを用いて制御する制御プログラムにおいて、
外部から供給される複数の再生対象データを所定の順序で再生させ、
前記再生対象データの再生と並行して、当該再生対象データを記録データとして順次記憶媒体に記憶させ、
前記再生対象データを再生させている際に再生中断指示が入力された場合、前記再生中断指示が入力された際に再生させていた再生対象データに対応する記録データを前記記憶媒体から削除させること、
を特徴とする制御プログラム。
【請求項８】
記憶媒体に記憶された楽曲データを再生する記憶再生部を備える記憶再生装置をコンピュータを用いて制御する制御プログラムにおいて、
予め記憶媒体に記憶された複数の再生対象データを前記記憶再生部に所定の順序で再生させ、
前記再生対象データを再生させている際に再生中断指示が入力された場合、前記再生中断指示が入力された際に前記記憶再生部に再生させていた再生対象データを前記記憶媒体から削除させること、
を特徴とする制御プログラム。
【発明の詳細な説明】
【技術分野】
【０００１】
本発明は、データの記憶再生を行う記憶再生装置、記憶再生装置の制御方法および制御プログラムに関する。
【背景技術】
【０００２】
従来、音楽ＣＤ（コンパクトディスク）などの外部記憶媒体から供給される楽曲データを再生させる際に、外部記憶媒体に含まれる楽曲データ等をハードディスク装置（以下、「ＨＤＤ」という）等の記憶装置に記憶、すなわち録音させることのできる記憶再生装置が知られている。このような装置として、例えば、音楽ＣＤに記憶された楽曲データを通常の速度で再生させながら、２倍速など通常の再生速度よりも速い速度で楽曲データを記憶装置に録音することができるものがある（例えば、特許文献１参照）。
【０００３】
上記のような記憶再生装置の中には、ユーザが録音のための操作を特に行わなくても、音楽ＣＤを再生させるだけで、音楽ＣＤに記憶された楽曲データを自動的に記憶装置に録音させるようにしたものがある。記憶装置に音楽ＣＤに含まれる楽曲データを記憶させておけば、その後は、ユーザは音楽ＣＤをその都度取り替えることなく、好きな楽曲を楽しむことができるので、特に、カーオーディオ装置等の車載される記憶再生装置にあっては、多数の音楽ＣＤを車内に持ち込む必要がなくなり、利便性が高い。
【特許文献１】特開２００３−２２８９０７号公報
【発明の開示】
【発明が解決しようとする課題】
【０００４】
ところで、ユーザが楽曲データを再生する際、楽曲データの再生を中断して次の楽曲データの再生を行わせる操作をすることがある（以下、早送り操作という）。１枚の音楽ＣＤに含まれる楽曲の中にはユーザにより早送り操作が行われる可能性の高い楽曲が含まれている場合もあるから、音楽ＣＤに含まれる楽曲データを全て自動的にＨＤＤ等の記憶装置に記憶させたのでは、ユーザに再生されることのない不要な楽曲データによって記憶装置の記憶容量が消費されることになる。
【０００５】
一方、予め、ユーザが音楽ＣＤを視聴した上で録音する楽曲と録音しない楽曲とを選択し、ユーザにより選択された楽曲の楽曲データのみを記憶装置に録音させることはできる。しかし、手動で録音操作をすることが必要になり、手間が煩わしいこととなる。
また、音楽ＣＤに含まれる楽曲データを自動的に全て記憶装置に録音させた上で、後から、不要な楽曲データを削除することもできる。しかし、不要な楽曲データを選択して一つ一つ削除するのは煩雑な作業である。また、ＨＤＤの記憶容量は音楽ＣＤの記憶容量に比べると大きいので、ＨＤＤに音楽ＣＤ数十枚〜数百枚分に該当する楽曲データが記憶されている場合もある。このように、膨大な量の楽曲データが記憶装置に記憶されている場合に、手作業により一つ一つ不要な楽曲データを削除するのは非常に手間のかかる作業となる。
【０００６】
そこで、本発明の課題は、煩わしい操作をしなくてもユーザ所望の再生対象データを記憶媒体に蓄積させて、記憶媒体の記憶容量を有効に活用できる記憶再生装置、記憶再生装置の制御方法および制御プログラムを提供することにある。
【課題を解決するための手段】
【０００７】
上記課題を解決するために、本発明の記憶再生装置は、外部から供給される複数の再生対象データを所定の順序で再生する再生部と、前記再生対象データの前記再生部における再生と並行して、当該再生対象データを記録データとして順次記憶媒体に記憶させる記憶部と、再生部により再生対象データが再生されている際に再生中断指示が入力された場合、前記記憶媒体から再生中断指示が入力された際に再生されていた再生対象データに対応する記録データを削除するように前記記憶部を制御する制御部と、を備えたことを特徴とする。
上記構成によれば、外部から供給させる再生対象データを再生させながら、その再生対象データを記録データとして記憶媒体に記憶させるとともに、再生中断指示が入力された場合、それに応じて再生中断指示が入力された際に再生していた再生対象データに対応する記憶データを記憶媒体から削除させる。
【０００８】
また、本発明の記憶再生装置は、予め記憶媒体に記憶された複数の再生対象データを所定の順序で再生する記憶再生部と、前記記憶再生部により再生対象データが再生されている際に再生中断指示が入力された場合、前記記憶媒体から前記再生中断指示が入力された際に再生されていた再生対象データを削除するように前記記憶再生部を制御する制御部と、を備えたことを特徴とする。
上記構成によれば、記憶媒体に記憶された再生対象データを再生させている際に再生中断指示が入力された場合、それに応じて再生中断指示が入力された際に再生していた再生対象データを記憶媒体から削除させる。
【０００９】
上記構成において、前記制御部は、前記再生中断指示が入力された場合に前記記憶再生部による再生を中断するとともに、同一の再生対象データについて前記再生中断指示が所定回数入力された場合に当該再生対象データを前記記憶媒体から削除するようにしてもよい。
また、上記構成において、前記再生中断指示は、再生対象データの再生を中断させて次の再生対象データを再生させるための再生スキップ指示としてもよい。
【００１０】
また、本発明の記憶再生装置の制御方法は、外部から供給される複数の再生対象データを所定の順序で再生する過程と、前記再生対象データの再生と並行して、当該再生対象データを記録データとして順次記憶媒体に記憶させる過程と、前記再生対象データを再生している際に再生中断指示が入力された場合、前記再生中断指示が入力された際に再生されていた再生対象データに対応する記録データを前記記憶媒体から削除する過程と、を備えたことを特徴とする。
【００１１】
また、本発明の記憶再生装置の制御方法は、予め記憶媒体に記憶された複数の再生対象データを所定の順序で再生させ、前記再生対象データを再生させている際に再生中断指示が入力された場合、現在再生させている再生対象データの再生を中断させるとともに、前記再生中断指示が入力された際に再生させていた再生対象データを前記記憶媒体から削除させること、を特徴とする。
【００１２】
また、本発明の記憶再生装置をコンピュータを用いて制御する制御プログラムは、外部から供給される複数の再生対象データを所定の順序で再生させ、前記再生対象データの再生と並行して、当該再生対象データを記録データとして順次記憶媒体に記憶させ、前記再生対象データを再生させている際に再生中断指示が入力された場合、前記再生中断指示が入力された際に再生させていた再生対象データに対応する記録データを前記記憶媒体から削除させること、を特徴とする。
【００１３】
また、本発明の制御プログラムは、記憶媒体に記憶された楽曲データを再生する記憶再生部を備える記憶再生装置をコンピュータを用いて制御する制御プログラムにおいて、予め記憶媒体に記憶された複数の再生対象データを前記記憶再生部に所定の順序で再生させ、前記再生対象データを再生させている際に再生中断指示が入力された場合、前記再生中断指示が入力された際に前記記憶再生部に再生させていた再生対象データを前記記憶媒体から削除させること、を特徴とする。
【発明の効果】
【００１４】
本発明によれば、煩わしい操作を行なわなくとも、ユーザ所望の再生対象データを記憶媒体に蓄積させて、記憶媒体の記憶容量を有効に活用することができる。
【発明を実施するための最良の形態】
【００１５】
以下、図面を参照しつつ本発明の実施の形態について説明する。
図１は、本発明の実施の形態に係る記憶再生装置１の構成を示すブロック図である。この図１に示す記憶再生装置１は、カーナビゲーション装置とカーオーディオ装置とを複合させた複合装置に適用したもので、本体部１ａとユーザインターフェース部１ｂとを備えている。
【００１６】
図１に示すように、本体部１ａは、メインＣＰＵ２と、メモリ部３と、ＣＰＵ周辺回路４と、外部記憶媒体読取部５と、ハードディスク装置６と、エンコーダーデコーダー部７と、オーディオ再生部８と、アンプ９と、スピーカ１０と、位置検出部１１と、表示制御部１２とを備えている。
【００１７】
メインＣＰＵ２（Central Processing Unit）は、当該記憶再生装置１の各部の動作制御や、各種演算を実行するものであり、本実施の形態に係る楽曲データ自動削除処理を行うものである。ここで、楽曲データ自動削除処理とは、楽曲データ（再生対象データ、記録データ）が再生されている際にその楽曲データについて再生スキップ指示が入力された場合、再生スキップ指示の対象となる楽曲データをハードディスク装置６から削除するようにする処理をいう。
【００１８】
メモリ部３は、メインＣＰＵ２により実行される楽曲データ自動削除処理等、各種処理を実行するための制御プログラム等を格納するものであり、ＳＲＡＭ（Static ＲＡＭ）、ＳＤＲＡＭ（Synchronous ＤＲＡＭ）、Ｆｌａｓｈ  ＲＯＭなどから構成される。メモリ部３には、楽曲データ自動削除処理を行うか否かが設定されるフラグＲＥＣＳＫＩＰが格納されている。このフラグＲＥＣＳＫＩＰが「１」に設定されていれば、楽曲データ自動削除処理が実行される。
【００１９】
ＣＰＵ周辺回路４は、記憶再生装置１が備える各構成要素（デバイス）のインターフェースとして機能する回路であり、このＣＰＵ周辺回路４には、上記メインＣＰＵ２、メモリ部３が接続されるほか、次に説明する外部記憶媒体読取部５、ハードディスク装置６、エンコーダーデコーダー部７、オーディオ再生部８、位置検出部１１、表示制御部１２が接続されている。
【００２０】
外部記憶媒体読取部５は、ＣＤ−ＲＯＭドライブやＤＶＤ−ＲＯＭドライブ等であり、音楽ＣＤ等の外部記憶媒体が装着可能に構成されている。外部記憶媒体読取部５は、装着された外部記憶媒体に記憶された楽曲データを読み取って、読み取った楽曲データをエンコーダーデコーダー部７を介してオーディオ再生部８に出力するものである。
【００２１】
ハードディスク装置６は磁気記憶装置であり、経路案内のための地図データや情報データ（文字データ、画像データなど）の他、楽曲データ等が記憶される。
【００２２】
エンコーダーデコーダー部７は、符号器、復号器を備え、外部記憶媒体読取部５等から入力される楽曲データ信号に対して必要に応じて圧縮処理を行いＣＰＵ周辺回路４を介してハードディスク装置６に出力し、ハードディスク装置６等からＣＰＵ周辺回路４を介して入力された楽曲データ信号に対して必要に応じ伸張処理を行い、オーディオ再生部８に出力するものである。
【００２３】
オーディオ再生部８は、外部記憶媒体読取部５またはハードディスク装置６からエンコーダーデコーダー部７を介して入力される楽曲データ信号に対して所定の信号処理を行うものである。また、図示しないラジオ受信部、ＴＶチューナー部、ＭＤ（Mini Disk）再生部などから入力される音声信号に対して所定の信号処理を行う。オーディオ再生部８において信号処理が施された楽曲データ信号はアンプ９で増幅されスピーカ１０を介して外部に音波として出力される。
【００２４】
位置検出部１１は、車両の現在位置（図１参照）を検出して現在位置検出信号をＣＰＵ周辺回路を介してメインＣＰＵ２に出力するものである。位置検出部１１は、例えば、ＧＰＳ衛星から送信されているＧＰＳ電波を受信するアンテナ（レシーバーでも良い）を備え、ＧＰＳ電波に基づいて、車両の現在地点を示す位置座標と、進行方向とを計算して、それを位置検出信号としてＣＰＵ周辺回路４を介してメインＣＰＵ２に出力する構成とすることができる。
【００２５】
表示制御部１２は、メインＣＰＵ２から出力される画像データ（例えば、操作メニュー表示のための画像データ、経路案内のための画像データ等）をＲＧＢ信号に変換して、ユーザインターフェース部１ｂが備えるＶＩＤＥＯ信号処理回路２３に出力するものである。
【００２６】
ユーザインターフェース部１ｂは、入力部２１と、リモコン受光部２２と、ＶＩＤＥＯ信号処理回路２３と、表示器２４とを備えている。
【００２７】
入力部２１は、ユーザからの各種操作指示を受け付けるもので、タッチパネルあるいは操作子を備える。また、リモコン受光部２２は、図示せぬリモートコントロール装置からの指示信号を受光するものである。これら入力部２１およびリモコン受光部２２から、再生指示、再生スキップ指示等のユーザの操作指示が入力され、ＣＰＵ周辺回路４に出力される。入力部２１およびリモコン受光部２２を介してユーザは各種操作を行えるが、音楽ＣＤ等の再生中に行われる代表的な操作として、停止、早送り、早戻し等の操作があり、これらの操作指示を行うための操作キー等の操作子（図示略）を備える。
【００２８】
ユーザにより早送りキーが選択操作されると、メインＣＰＵ２に対して再生スキップ指示が入力され、現在再生されている楽曲データの再生が中断され、次の楽曲データの再生が行われる。一方、早戻しキーが選択操作されると、現在再生されている楽曲データの再生が最初から再度行われる。
【００２９】
ＶＩＤＥＯ信号処理回路２３は、表示制御部１２からＲＧＢ信号を受け取り、表示器２４が表示すべき映像信号に変換して、表示器２４に出力するものである。
【００３０】
表示器２４は、地図や、ユーザに操作を促すための操作画面などを表示するものであり、例えば、液晶パネル等から構成できる。表示される操作画面として、例えば、図２に示す画面３０や図３に示す画面４０がある。
【００３１】
図２に示す操作画面３０には、ＤＶＤ（Digital Versatile Disk）選択キー３１、ＣＤ（Compact Disc）選択キー３２、ＭＤ選択キー３３、ラジオ選択キー３４、自動録音モード設定キー３５という操作メニューキーが選択可能に表示されている。これらの操作メニューキーの中から、例えば、ユーザがＣＤ選択キー３２を選択操作すれば、外部記憶媒体読取部５において外部記憶媒体として装着された音楽ＣＤが再生される。ラジオ選択キー３４が選択操作されれば、図示しないラジオ受信部において受信したラジオ放送をユーザが聞くことができる。自動録音モード設定キー３５が選択操作されれば自動録音モードが設定される。自動録音モードが設定されていると、外部記憶媒体読取部５において再生される音楽ＣＤに含まれる楽曲データが自動的にハードディスク装置６に記憶される。
【００３２】
図３に示す操作画面４０には、早送りキー連動モード設定キー４１等の操作メニューが表示されている。早送りキー連動モード設定キー４１メニューが選択されることにより、早送りキー連動モードを設定するか否かを選択できる選択メニュー４２として、早送りキー連動選択キー４２ａ、と早送りキー非連動キー４２ｂとが表示される。ユーザにより早送りキー連動選択キー４２ａが選択操作されるとメモリ部３に格納されたフラグＲＥＣＳＫＩＰが「１」に設定され、楽曲データ自動削除処理が実行される。ユーザにより早送りキー非連動選択キー４２ｂが選択されると、フラグＲＥＣＳＫＩＰは「０」に設定され、楽曲データ自動削除処理は実行されない。
【００３３】
次に、図４を参照して、自動録音モード設定時に、早送りキー連動モードが設定されている場合の本実施の形態の記憶再生装置１の動作を説明する。
【００３４】
自動録音モードが設定されている際、外部記憶媒体の再生指示があると（ステップＳ１：Ｙ）、外部記憶媒体から供給される複数の楽曲データが外部記憶媒体読取部５において読み取られてオーディオ再生部８により所定の順序で楽曲データの再生が行われる（ステップＳ２）。これと同時に、外部記憶媒体から供給される楽曲データがメインＣＰＵ２の制御の下、ハードディスク装置６に記憶される（ステップＳ２）。
【００３５】
この際、外部記憶媒体から供給される楽曲データを外部記憶媒体読取部５において２倍速又は４倍速等の通常の再生速度よりも速い速度で読み出してハードディスク装置６に記憶させながら、ハードディスク装置６に記憶された楽曲データを通常の再生速度で読み取ってオーディオ再生部８において再生するようにしてもよいし、外部記憶媒体読取部５において外部記憶媒体から供給される楽曲データを通常の速度で読み出してオーディオ再生部８で再生させるとともに、ハードディスク装置６に通常の速度または倍速、あるいは４倍速で記憶させてもよいし、それらをユーザが適宜設定することができるようにしてもよい。
【００３６】
次に、メインＣＰＵ２は、メモリ部３を参照してフラグＲＥＣＳＫＩＰが「１」か「０」かを判別する（ステップＳ３）。フラグＲＥＣＳＫＩＰが「１」であれば（ステップＳ３：Ｙ）、ステップＳ４に移行する。一方、フラグＲＥＣＳＫＩＰが「０」であれば（ステップＳ３：Ｎ）、当該楽曲データ自動削除処理を終了する。
【００３７】
ステップＳ４では、楽曲データ再生中におけるキー操作の有無が監視される（ステップＳ４）。キー操作があった場合（ステップＳ４：Ｙ）、それが再生の停止指示の場合（ステップＳ５：Ｙ）にはメインＣＰＵ２はオーディオ再生部８における楽曲データの再生を停止させて当該処理を終了する。ここで、再生の停止指示には、例えば、入力部２１等を介して再生の停止選択キーが選択操作された場合の他、ラジオ選択キー４４（図２参照）が選択操作された場合等のラジオ選択指示等も当該指示に含まれる。
【００３８】
一方、ユーザにより早送りキーが選択操作が行われた場合（ステップＳ６：ＦＦ）、メインＣＰＵ２に対して再生スキップ指示が入力され、メインＣＰＵ２はオーディオ再生部８を制御して再生スキップ指示が入力された際に再生していた楽曲データの再生を中断させ、次の楽曲データの再生を行わせるとともに、再生スキップ指示が入力された際に再生されていた楽曲データに対応するデータをハードディスク装置６から削除させる（ステップＳ７）。
【００３９】
なお、早戻しキーの選択操作が行われた場合（ステップＳ６：ＲＥＷ）には、メインＣＰＵ２は外部記憶媒体読取部５を制御してキー操作が行われた際に再生されていた楽曲データを最初から読み出し、すなわちいわゆる楽曲の「頭出し」を行い、当該楽曲データを最初から再度再生させる（ステップＳ８）。
【００４０】
そして、外部記憶媒体から供給される複数の楽曲データの再生が全て終了するまで（ステップＳ９：Ｎ）、上記処理（ステップＳ４〜９）が繰り返し行われる。
【００４１】
次に、図５を参照して、ハードディスク装置６に記憶された楽曲データを再生する際に、早送りキー連動モードが設定されている場合の本実施の形態の記憶再生装置１の動作を説明する。
【００４２】
まず、ハードディスク装置６に記憶されている楽曲データについて再生指示が入力される（ステップＳ１１：Ｙ）と、メインＣＰＵ２はハードディスク装置６に記憶されている複数の楽曲データを所定の順序で読み出してオーディオ再生部８により楽曲データの再生を行わせる（ステップＳ１２）。
【００４３】
次に、メインＣＰＵ２は、メモリ部３に格納したフラグＲＥＣＳＫＩＰを参照して、フラグＲＥＣＳＫＩＰが「１」であるか否かを判別する（ステップＳ１３）。フラグＲＥＣＳＫＩＰが「１」である場合（ステップＳ１３：Ｙ）、メインＣＰＵ２は楽曲データ再生中におけるキー操作の有無を監視する（ステップＳ１４）。キー操作があった場合（ステップＳ１４：Ｙ）、それが再生の停止の場合（ステップＳ１５：Ｙ）にはメインＣＰＵ２は楽曲データの再生を終了させて当該処理を終了する。キー操作が早送りキーの選択操作であった場合（ステップＳ１６：ＦＦ）、メインＣＰＵ２はこの再生スキップ指示が入力された際に再生させていた楽曲データの再生を中断させ、次の楽曲データの再生を行わせるとともに、再生スキップ指示が入力された際に再生させていた楽曲データをハードディスク装置６から削除する（ステップＳ１７）。
【００４４】
なお、早戻し操作が行われた場合（ステップＳ１６：ＲＥＷ）には、メインＣＰＵ２は上記と同様に早戻し操作が行われた際に再生させていた楽曲データを最初から再度再生させる（ステップＳ１８）。
【００４５】
そして、楽曲データの再生が全て終了するまで（ステップＳ１９：Ｎ）、上記処理（ステップＳ１４〜１９）が繰り返し行われる。
【００４６】
以上説明した実施の形態の記憶再生装置１によれば、図４に示すように、音楽ＣＤを再生させながら自動的に音楽ＣＤ等の外部記憶媒体に含まれる楽曲データをハードディスク装置６に記憶させることができ、その際に、ハードディスク装置６に記憶させる必要のない不要な楽曲データについては、早送り操作を行うだけで、ハードディスク装置６から対応する楽曲データを自動的に削除させることができる。このため、ユーザは音楽ＣＤを再生させながら、早送り操作を行うだけで、煩わしい操作を行う必要なく、ユーザ所望の楽曲データのみをハードディスク装置６に蓄積させることができる。また、不要な楽曲データによりハードディスク装置６の記憶容量が消費されることがないので、ハードディスク装置６の記憶容量を有効に活用することができる。
【００４７】
また、上記の記憶再生装置１によれば、現在再生させている楽曲データに対して早送り操作が行われた場合に、その際に再生させていた楽曲データに対応する記録データをハードディスク装置６から削除する構成としているので、外部記憶媒体から供給される楽曲データを通常の速度で再生させながら、２倍速、４倍速等の通常の再生速度よりも速い速度で外部記憶媒体から供給された楽曲データをハードディスク装置６に記録データとして記憶させている場合でも、現在記憶媒体に記憶させている楽曲データではなく、ユーザが早送り操作をすることにより、オーディオ再生部８において再生が中断された楽曲データに対応する記録データをハードディスク装置６から削除させることができる。
【００４８】
また、上記の記憶再生装置１によれば、図５に示すように、ハードディスク装置６に記憶された楽曲データを再生させる際にも、不要な楽曲データについては、早送り操作を行うだけで、自動的にハードディスク装置６から削除されるので、煩わしい操作を行うことなく、ユーザ所望の楽曲データのみをハードディスク装置６に蓄積させることができる。
【００４９】
以上の説明においては、外部記憶媒体として主として音楽ＣＤを例に挙げて説明したが、外部記憶媒体は例えばＤＶＤであってもよいし、ＭＤであってもよいし、コンパクトフラッシュ（登録商標）メモリカード、ＳＤ（Secure Digital）メモリカード等のフラッシュメモリカードであってもよいし、特に限定されるものではない。
【００５０】
同様に、外部記憶媒体から供給される楽曲データが自動的に記憶される記憶媒体（記憶部）または早送り操作に連動して自動的に楽曲データが削除される記憶媒体（記憶再生部）として、ハードディスク装置６を例に挙げて説明したが、これらの記憶媒体（記憶部、記憶再生部）はハードディスク装置６に限定されるものではなく、ＣＤ−ＲＯＭ、ＤＶＤ、フラッシュメモリカード等の各種の記憶装置であってもよいのは勿論である。
【００５１】
また、以上の説明において、ハードディスク装置６に記憶される楽曲データは外部記憶媒体から供給される場合を例に挙げて説明したが、これに限定されるものではない。例えば、記憶再生装置１をインターネット等のネットワークに接続可能に構成し、インターネット等のネットワークを介して記憶再生装置１に供給される楽曲データ等の再生対象データをハードディスク装置６に記憶させる構成としてもよい。
【００５２】
また、以上の説明において、再生対象データとして楽曲データを例に挙げて説明したが、楽曲データに限らず、再生対象データは映画等の動画映像を表す動画データであってもよいし、写真等の静止画像を表す静止画データであってもよいし、特に限定されるものではない。
【００５３】
また、以上の説明において、早送り操作に連動して、早送り操作が行われた際に早送りの対象となる楽曲データをハードディスク装置６から削除させる場合を例に挙げて説明したが、早送り操作に限らず、再生されている楽曲データ等の再生対象データに対して再生中断指示を入力するための操作キーが設けられていれば、特に早送り操作キーに限る趣旨ではない。
【００５４】
また、図５において、早送り操作が１度行われると、直ちにハードディスク装置６から対象となる楽曲データを削除するものとして説明したが、例えば、図６に示すように、ハードディスク装置６に記憶された楽曲データを再生する際に、各楽曲データに対して早送り操作が行われた回数をカウントさせておき、Ｎ回以上（Ｎは２以上の任意の整数）早送り操作が行われた場合（ステップＳ２１：Ｙ）に、その楽曲データをハードディスク装置６から削除させ（ステップＳ１７）、早送り操作が行われた回数がＮ回未満である場合には（ステップＳ２１：Ｎ）、単に現在再生している楽曲データの再生を中断させて次の楽曲データを再生させる（ステップＳ２２）構成としてもよい。なお、図６において、図５と同様の処理を示すステップについては同一の符号を付している。
【００５５】
また、以上の説明において、記憶再生装置１は、カーナビゲーション装置とカーオーディオ装置との機能を併せ持つ複合装置として説明したが、記憶再生装置１は特にこのような複合装置である必要はなく、通常の室内に設置されるオーディオ装置であってもよいし、携帯型のオーディオ装置であってもよく、要は外部から供給される再生対象データを再生する再生部と、再生部により再生される再生対象データを記憶媒体に記憶削除が可能な記憶部とを備える構成、又は記憶媒体に記憶された再生対象データの再生削除が可能な記憶再生部を備える構成であればよい。
【図面の簡単な説明】
【００５６】
【図１】実施の形態における記憶再生装置の概要構成ブロック図である。
【図２】実施の形態における記憶再生装置の表示器に表示される操作画面の一例を示す図である。
【図３】実施の形態における記憶再生装置の表示器に表示される操作画面の一例を示す図である。
【図４】実施の形態の処理フローチャートである。
【図５】実施の形態の処理フローチャートである。
【図６】実施の形態の変形例を示す処理フローチャートである。
【符号の説明】
【００５７】
１  記憶再生装置
２  メインＣＰＵ（制御部）
３  メモリ部
４  ＣＰＵ周辺回路
５  外部記憶媒体読取部
６  ハードディスク装置（記憶部、記憶再生部）
７  エンコーダーデコーダー部
８  オーディオ再生部（再生部）
３０  操作画面
４０  操作画面
【図１】
2007179646.tif 000003
【図２】
2007179646.tif 000004
【図３】
2007179646.tif 000005
【図４】
2007179646.tif 000006
【図５】
2007179646.tif 000007
【図６】
2007179646.tif 000008